(57)【要約】【課題】より装脱着が容易で、かつ着用の抵抗感を緩和できる外観を有する使い捨て紙おむつを提供する。【解決手段】透液性の表面シート（１０）と、不透液性の裏面シート（１１）と、両シートとの間に介装される吸収体（１２）とを備える紙おむつ本体（１）に、ファスニングテープ１４２ａを腹側部の表面シート側に設け、ターゲットテープ１５２ａを、背側部の両側端部（１５２）の裏面シート側に設け、着用時に胴回りを形成する紙おむつ本体の背側部の背側端部（１５１）及び腹側部の腹側端部（１４１）に、弾性部材（１４１ａ、１５１ａ）を、幅方向の略全域に沿って配置した。【選択図】　　　図２
2004121388.tif 000002
【特許請求の範囲】
【請求項１】
透液性の表面シートと、不透液性の裏面シートと、前記表面シートと前記裏面シートとの間に介装される吸収体とを備える紙おむつ本体を有する使い捨て紙おむつにおいて、
互いに係止離脱自在な一対の係止部の一方が、前記紙おむつ本体の腹側部の前記表面シート側に設けられ、他方が、前記紙おむつ本体の背側部の両側端部の前記裏面シート側に設けられ、
着用時に胴回りを形成する前記紙おむつ本体の前記背側部の背側端部及び前記腹側部の腹側端部に、弾性部材が幅方向の略全域に沿って配置されていることを特徴とする使い捨て紙おむつ。
【請求項２】
請求項１に記載の使い捨て紙おむつにおいて、
前記背側部の両側端部から側方に延出して設けられ、一方が他方に止着される１対の止着部を備え、
前記係止部同士が係止される際、前記紙おむつ本体の前記腹側部により前記止着部が覆われることを特徴とする使い捨て紙おむつ。
【請求項３】
前記止着部は、弾性部材から形成されているか、或いは前記紙おむつ本体の幅方向に沿って弾性部材が配されることにより伸縮可能に形成されていることを特徴とする請求項２に記載の使い捨て紙おむつ。
【発明の詳細な説明】
【０００１】
【発明の属する技術分野】
この発明は、使い捨て紙おむつに関する。
【０００２】
【従来の技術】
従来、使い捨て紙おむつは、透液性の表面シートと、不透液性の裏面シートと、前記両シートとの間に介装される吸収体とから構成され、展開式の紙おむつとして、背側部の側方に延出して形成されたファスニングテープを腹側部の裏面シート側に設けられたターゲットテープに貼着させて着用するように構成されたものがある（例えば、特許文献１参照）。
【０００３】
上記のような紙おむつは、着用者が立った状態のまま、装脱着するのが難しい。このため、腹側部の左右の両側縁部と、背側部の両側縁部とを接合して、ウエスト開口部と、一対のレッグ開口部とを形成したパンツ型使い捨て紙おむつもある（例えば、特許文献２参照）。
【０００４】
【特許文献１】
特開昭６２−２６８８０２号公報（第１項−第９項、第１図−第６図）
【特許文献２】
特開昭６１−２０７６０５号公報（第１−第３９項、第１図−第１２図）
【０００５】
【発明が解決しようとする課題】
しかしながら、特許文献１のような展開式の紙おむつの場合、一度装着して再度脱着する際には、止着していたテープを外して展開状態にしなければならないので、装着者が、紙おむつをそのまま上げ降ろすことが難しい。更に、装着した状態においてファスニングテープ等の止着部が露出しているためにパンツ型の紙おむつにくらべて外観がいかにもおむつという印象を与えやすい。そのため、高齢者等の大人が着用した際、おむつは乳児、幼児等が着用するものという印象が強いため、パンツ型の紙おむつに比べて、着用者が抱く羞恥心や抵抗感が大きいという問題があった。
【０００６】
一方、特許文献２のようなパンツ型の紙おむつの場合、装脱着する際、おむつを展開させずに実施することが出来るので、装着者が立った状態で装着することができて便利である。その上、外観が下着に近いため、展開式の紙おむつに比べて着用者の抵抗が少ない。しかしながら、パンツ型の紙おむつの上からズボン等を着用している場合に、装脱着の際には必ずズボンを脱がなければならないため面倒であった。また様々な胴回りのサイズの人が装着できるように、胴回りを形成する部分に弾性部材が設けられ伸縮自在に形成されている。従って、両手でウエスト開口部の両側部を持って伸張した状態にしないと着脱できないので、例えば、片手が不自由な着用者の場合、一人で装脱着するのが難しいという問題があった。
【０００７】
本発明は、上記事情に鑑みてなされたものであって、より装脱着が容易で、かつ着用の抵抗感を緩和できる外観を有する使い捨て紙おむつを提供することを目的とする。
【０００８】
【課題を解決するための手段】
上記課題を解決するため、請求項１に記載の発明は、例えば、図１から図８に示すように、透液性の表面シート（１０）と、不透液性の裏面シート（１１）と、前記表面シートと前記裏面シートとの間に介装される吸収体（１２）とを備える紙おむつ本体（１）を有する使い捨て紙おむつ（１００、２００、３００、４００）において、
互いに係止離脱自在な一対の係止部（例えば、ファスニングテープ１４２ａとターゲットテープ１５２ａ、ファスニングテープ１４２ｂとターゲットテープ１５２ｂ等）の一方（例えば、ファスニングテープ１４２ａ、１４２ｂ等）が、前記紙おむつ本体の腹側部の前記表面シート側に設けられ、他方（例えば、ターゲットテープ１５２ａ、１５２ｂ等）が、前記紙おむつ本体の背側部の両側端部（１５２、１５２）の前記裏面シート側に設けられ、
着用時に胴回りを形成する前記紙おむつ本体の前記背側部の背側端部（１５１）及び前記腹側部の腹側端部（１４１）に、弾性部材（１４１ａ、１５１ａ）が幅方向の略全域に沿って配置されていることを特徴とする。
【０００９】
請求項１に記載の発明によれば、互いに係止離脱自在な一対の係止部の一方が、紙おむつ本体の腹側部の表面シート側に設けられ、他方が、紙おむつ本体の背側部の両側端部の裏面シート側に設けられるので、使い捨て紙おむつを固定するための係止部材が、装着時に外見に露出しないこととなって、下着に近い外見となるので、おむつを装着することによる装着者の羞恥心と抵抗感とを和らげることができる。また、着用時に胴回りを形成する紙おむつ本体の背側部の背側端部及び腹側部の腹側端部に、弾性部材が幅方向の略全域に沿って配置されているので、使い捨て紙おむつを一旦装着した後、展開状態にせずとも上げ下ろしが可能である。
また、使い捨て紙おむつを着用者に着脱する際には、装着していたズポン等の衣服を完全に脱いだ状態にすることなくできるので便利である。
【００１０】
ここで、一対の係止部は、例えば、ファスニングテープとターゲットテープの組合せ、面ファスナの雄部材と雌部材の組合せ等であるが、これらに限定されるものではない。また該係止部は、互いに係止離脱自在であれば、係止部のどちらの部材が、腹側部、背側部のうちのどちら側に設けられていてもよい。
【００１１】
請求項２に記載の発明は、請求項１に記載の使い捨て紙おむつにおいて、
前記背側部の両側端部（１５２、１５２）から側方に延出して設けられ、一方が他方に止着される１対の止着部（例えば、腹ベルト２，２、ファスナ部２１，２１等）を備え、
前記係止部同士が係止される際、前記吸収性物品の前記腹側部により前記止着部が覆われることを特徴とする。
【００１２】
請求項２に記載の発明によれば、請求項１に記載の発明と同様の効果が得られるのは勿論のこと、特に、一方が他方に止着される１対の止着部が、背側部の両側端部から側方に延出して設けられているので、胴回りがより固定されるのに加え、立状態での装着が容易にできる。また、係止部を離脱した状態でも、止着部により胴回りにおいて使い捨て紙おむつは固定されるので、おむつをおろさなくても排尿することが可能である。更に、係止部材同士が係止される際、紙おむつ本体の腹側部により止着部が覆われるので、外見上、パンツ式おむつの形状となり、下着のように見えることとなって着用者のおむつの装着に対する羞恥心と抵抗感を和らげることができる。
【００１３】
請求項３に記載の発明は、請求項２に記載の使い捨ておむつにおいて、
前記止着部は、弾性部材から形成されているか、或いは前記紙おむつ本体の幅方向に沿って弾性部材（２２）が配されることにより伸縮可能に形成されていることを特徴とする。
【００１４】
請求項３に記載の発明によれば、請求項２に記載の発明と同様の効果が得られるのは勿論のこと、特に、止着部は、弾性部材から形成されているか、或いは紙おむつ本体の幅方向に沿って弾性部材が配されることにより伸縮可能に形成されているので、胴回りを締め付けすぎることなくフィットするとともに、使い捨て紙おむつを一度装着した後に、そのままの状態で上げ下ろしするのも容易となる。
【００１５】
【発明の実施の形態】
以下、本発明の実施の形態を、図面を参照しながら詳細に説明する。
図１は、本実施の形態における使い捨て紙おむつを展開した展開図（使用時に人体に接触させる側を示す）である。また、図２は、使い捨て紙おむつの装着時の状態に組立てた斜視図である。また、図３は、使い捨て紙おむつを完全に装着した状態に組み立てた斜視図である。
【００１６】
図１〜図３に示すように、使い捨て紙おむつ（以下、紙おむつという。）１００は、紙おむつ本体１と、紙おむつ本体１の背側部の両側端部から側方に延出して設けられた、止着部としての一対の腹ベルト２、２とを有している。
【００１７】
紙おむつ本体１は、人体との接触面側に設けられる透液性の不織布等からなる表面シート１０と、装着時に外部側に設けられる不透液性の裏面シート１１と、表面シート１０と裏面シート１１との間に介装される吸収体１２と、表面シート１０側の吸収体１２の両側部に、紙おむつ本体１の長手方向に沿って備えられるギャザーシート１３、１３と、から主に構成される。
【００１８】
紙おむつ本体１は、人体の股部を腹側から背側にかけて覆うように、一方の端部に腹側部１４が形成され、他方の端部に背側部１５が形成されている。また、腹側部１４と背側部１５との間が股下部１６となっている。股下部１６の両縁部は、内側に凹むように形成され、装着された際に着用者の脚の周りを囲む脚周り部１７、１７となっている。
ここで、特に断りがない限り、内側とは、紙おむつ１００の幅方向の中央側をいい、外側とは、紙おむつ１００の幅方向の中央から離れる側をいう。また、長手方向とは、紙おむつ１００の背側部１５と腹側部１４との間の方向をいい、幅方向とは、背側部１５及び腹側部１４の両側端部の間の方向をいうものとする。
【００１９】
表面シート１０と裏面シート１１は、腹側部１４、背側部１５、および脚周り部１７、１７において、吸収体１２の周囲に延在した部分が、ホットメルト接着剤等によって互いに固着されている。
【００２０】
そして、紙おむつ本体１の腹側部１４の腹側端部１４１と、背側部１５の背側端部１５１とは、紙おむつ１００が装着された際に、胴周りを形成するようになっている。
更に、背側部１５の幅方向の長さは、腹側部１４の幅方向の長さよりも長く形成されており、紙おむつ１００を装着した際に、背側部１５の一部と、腹側部１４の一部とを重ね合わせることにより胴回りを形成することができるようになっている。
【００２１】
そして、腹側部１４の両側端部１４２、１４２の表面シート１０側には、長手方向に沿うようにして、係止部の一方としてのファスニングテープ１４２ａ、１４２ａが貼着され、背側部１５の両側端部１５２、１５２の裏面シート１１側には、ファスニングテープ１４２ａ、１４２ａを止着することができる、係止部の他方としてのターゲットテープ１５２ａ、１５２ａが固定されており、腹側部１４と背側部１５とを止着することができるようになっている。
【００２２】
また、腹側部１４の長手方向の腹側端部１４１には、幅方向の略全域に亘って、糸ゴム等の弾性部材１４１ａが設けられ、この弾性部材１４１ａによりウエストギャザー１４３が形成され、着用者の腹周りにフィットするように伸縮自在な構造となっている。
【００２３】
同様に、背側部１５の長手方向の背側端部１５１には、幅方向の略全域に亘って、糸ゴム等の弾性部材１５１ａが設けられ、この弾性部材１５１ａによりウエストギャザー１５３が形成され、着用者の胴周りにフィットするように伸縮自在な構造となっている。また、このウエストギャザー１５３は、着用者が横になった場合、胴回り部分からの漏れを防止する機能を果たす。
【００２４】
上記のように、腹側端部１４１、及び背側端部１５１にそれぞれ、ウエストギャザー１４３，１５３が形成されているので、紙おむつ１００を装着した場合に、胴回りの全周部分が伸縮するように形成される。従って、一度、紙おむつ１００を装着した後、腹側部１４の両側端部１４２，１４２に設けられたファスニングテープ１４２ａ、１４２ａを、背側部１５のターゲットテープ１５２ａから引きはがすことなく、パンツのように上げ下ろしし易くなっている。
【００２５】
吸収体１２は、紙おむつ１００の使用時に、体液としての尿等の水様成分を吸収するものであり、綿やパルプ等の吸収性素材や、繊維或いはフィルム等のシート状基材と、高吸水性樹脂とを組み合わせて形成される。吸収体１２は、腹側部１４から背側部１５に亘る長さに形成されている。
【００２６】
ギャザーシート１３は、表面シート１０側に吸収体１２を挟む幅方向の両側部に、腹側部１４から背側部１５に亘って配設されている。
このギャザーシート１３、１３の幅方向外側の部分は、裏面シート１１の表面シート１０側の面にホットメルト接着剤等で固着されており、紙おむつ１００の長手方向に沿って二重に折り返され、吸収体１２の側方で表面シート１０側に周り込むようにして表面シート１０の上面に固着されている。そして、このギャザーシート１３の幅方向内側の部分は、表面シート１０に固定されておらず自由端となっている。
【００２７】
ギャザーシート１３の自由端の折り返された箇所の内側に、ギャザーシート１３の長手方向に沿って、糸ゴム等の弾性部材１３ａが備えられており、この弾性部材１３ａによりギャザーシート１３は、表面シート１０上に固定された部分から自由端が表面シート１０から上方に起立して、立体ギャザーＧ，Ｇを形成している。この立体ギャザーＧ，Ｇは、着用者の体型に合わせて伸縮自在に変形し、着用者にフィットしやすい構造となっており、紙おむつ１の使用時に、着用者の股に押し付けられるように密着して、紙おむつ１００の外側と内側とを仕切り、尿等が紙おむつ１００の側方から外部に漏れることを防ぐとともに、尿等が吸収体１２に吸収されるまでの間、紙おむつ１上に留めるための空間を表面シート１０上に形成する役割を担っている。
【００２８】
また、脚周り部１７、１７において、ギャザーシート１３、１３の固定された部分と、裏面シート１１、１１との間には、脚周り部１７、１７の両側縁部の湾曲形状に合わせて湾曲した糸ゴム等の弾性部材１７１ａがそれぞれ設けられ、それにより平面ギャザー１７１、１７１が形成されている。この平面ギャザー１７１、１７１は、着用者の脚周りに伸縮自在にフィットし、横漏れを防止する効果を奏している。
尚、この平面ギャザー１７１、１７１を形成するための弾性部材１７１ａは、ギャザーシート１３と裏面シート１１との間に介在される構成に限定されるものではなく、例えば、ギャザーシート１３と表面シート１０との間、表面シート１０と裏面シート１１との間に配置される構成であってもよい。
【００２９】
腹ベルト２，２は、止着部として機能し、例えば、人体に接触しても痛くない柔軟な不織布等の材料で形成されており、背側部１５の両側端部１５２、１５２より左右側方に突出するように、備えられている。そして、腹ベルト２，２の側方端部２０、２０には、止着部としてのファスナ部２１、２１が形成されている。このファスナ部２１、２１の一方には、面ファスナ等の一方の係止要素である雄部材が備えられ、他方には、該雄部材と係止可能な雌部材が備えられている。尚、本実施の形態において、雌部材が雄部材よりも大きく形成されているとする。
そして、紙おむつ１００を着用者に装着する際に、この２つの腹ベルト２，２を着用者の胴回りに巻回して、ファスナ部２１，２１を互いに係止させることにより、腹ベルト２，２を着用者の胴回りに固定することができる。
【００３０】
次に、上記のように構成された紙おむつの装着方法について説明する。
上記のように構成された紙おむつ１００を装着する場合には、まず、表面シート１０側を人体の接触面にして、股下部１６が股下にくるように両足の間に紙おむつ１００を挟んだ状態にする。次いで、背側部１５の腹ベルト２，２を着用者の胴回りに巻回して、互いのファスナ部２１，２１を係止させる。次いで、腹側部１４を股間の間から腹側に引き上げて、腹側部１４のファスニングテープ１４２ａ、１４２ａを背側部１５１のターゲットテープ１５２ａ、１５２ａに係止させることにより、紙おむつ１００の装着が完了する。そして、紙おむつ１００の装着が完了すると、例えば、図３に示すような状態となる。
【００３１】
また、この紙おむつ１００を装着した着用者が、例えば、トイレで用を足す場合には、そのままパンツのように、引き下ろすことができる。また、特に、排尿する場合には、腹側部１４における左右どちらか一方のファスニングテープ１４２ａの係止状態を解除することにより、紙おむつ１００をおろすことなく用を足すことができる。
【００３２】
また、本発明の紙おむつ１００は、腹ベルト２，２が設けられていることにより、着用者が立った状態で装着することが可能である。
【００３３】
このように、本実施の形態による紙おむつ１００によれば、ウエストギャザー１４３、１５３が胴回りの全周に亘って形成されていることにより、胴回りの全周が伸縮可能な状態となっている。従って胴回りが装着者の胴回りにフィットするとともに、紙おむつ１００の装着後に、パンツ型おむつのように引き下げたり上げたりできるので便利である。また、腹側部１４と、背側部１５とを係止するための係止部としての各部材が、紙おむつ１００の装着時に外見には露出しない。更に、胴回りの全周に亘って、ウエストギャザー１４３，１５３が形成されているので、図３に示すように、外見上、パンツ等の下着に見える。したがって、従来の展開式おむつのようにいかにもおむつを装着しているとの印象を与えないので、着用者の羞恥心や抵抗感を緩和することができる。
【００３４】
次に、本発明に係る使い捨て紙おむつの図１〜３と異なる変形例について説明する。
［第１の変形例］
図４、図５は、上述の紙おむつ１００の第１の変形例としての紙おむつ２００を示した図である。尚、紙おむつ１００と同機能、同形状の部材については同名、同符号を用いて説明するとともに、詳細な説明は省略する。
この紙おむつ２００では、腹側部１４に設けられたファスニングテープ１４２ｂ、１４２ｂが、腹側部１４の両側端部１４２、１４２に、幅方向に沿って設けられている。そして、背側部１５のターゲットテープ１５２ｂ、１５２ｂは、ファスニングテープ１４２ｂ、１４２ｂが係止可能なように、背側部１５の両側端部１５２、１５２の一部と、腹ベルト２，２に亘って幅方向に沿うように設けられている。
上記第１の変形例の紙おむつ２００においても、紙おむつ１００と同様の効果を得ることができる。
【００３５】
［第２の変形例］
図６、図７は、上述の紙おむつ１００の第２の変形例としての紙おむつ３００を示した図である。尚、紙おむつ１００と同機能、同形状の部材については同名、同符号を用いて説明するとともに、詳細な説明は省略する。
紙おむつ３００において、腹ベルト２、２の背側端部に、幅方向に弾性部材２２、２２を形成して、ギャザー２３、２３を形成し、このギャザー２３は、背側部１５の背側端部１５１に形成されたウエストギャザー１５３に連続して形成されたように見えることにより、胴回りの全周に亘ってギャザーを形成する。
尚、弾性部材２２、２２は、例えば、天然ゴム、合成ゴム、発泡プリウレタン等からなっているが、これらに限定されるものではない。
【００３６】
また、腹側端部１４１のファスニングテープ１４２ａ、１４２ａを、腹ベルト２，２に形成されたギャザー２３が見えるように背側端部１５１のターゲットテープ１５２ａ、１５２ａに係止することができるように、ファスニングテープ１４２ａと、ターゲットテープ１５２ａとを配設する構成であってもよい。
【００３７】
上記のような構成の紙おむつ３００においても紙おむつ１００と同様の効果が得られるとともに、胴回りを締め付けすぎることなくフィットさせることができ、そのままの状態で上げ下ろしするのもより容易となる。
【００３８】
［第３の変形例］
図８は、上述の紙おむつ１００の第３の変形例としての紙おむつ４００を示した図である。尚、紙おむつ１００と同機能、同形状の部材については同名、同符号を用いて説明するとともに、詳細な説明は省略する。
図８に示す紙おむつ４００では、腹ベルト２，２を備えず、腹側端部１４１のファスニングテープ１４２ａ、１４２ａと、背側端部１５１のターゲットテープ１５２ａ、１５２ａとを係止させることにより、胴回りを固定している。
上記のような構成の紙おむつ４００においても紙おむつ１００と同様の効果が得られるとともに、腹ベルト２、２を備えない分、コストダウンを図ることができる上、着用者が横になった状態における装脱着動作が容易となる。
【００３９】
尚、上記の実施の形態は、本発明を例示したに過ぎず、適宜変更可能である。例えば、吸収体１２、腹ベルト２，２、ファスニングテープ１４２ａ、１４２ａ、ターゲットテープ１５２ａ、１５２ａ等の各部材の形状、大きさ、基材等は、本実施例に示したものに限定されるものではなく、請求項に記載の本発明が達成できればどのようなものであってもよい。同様に、弾性部材１４１ａ、１５１ａの本数も図示に限定されるものではない。
【００４０】
例えば、腹側部１４の表面シート１０側に係止部の一方としてのターゲットテープ等を設け、背側部１５の裏面シート側に係止部の他方としての１対のファスニングテープ等を設けてもよい。この場合、腹側部１４に設けられるターゲットテープは、背側部１５の１対のファスニングテープを係止可能な、一つの片から構成されていてもよい。
また、吸収体１２の幅方向の長さは、股下部１６の形状に合わせて中央部分が狭く、長手方向の腹側部側、及び背側部側の端部は、腹側部１４、背側部１５の形状に合わせて、中央部分よりも幅が広く形成されている構成であってもよい。
【００４１】
また、腹ベルト２，２は、一部或いは全部が伸縮性の弾性部材等で形成されている構成であってもよい。この場合、例えば、天然ゴム、合成極、発泡ウレタン等からなる弾性部材を、用いることができる。
また、腹ベルト２，２は、２つの部材から構成されていてもよいし、例えば、一本の長細い部材を両側端部１５２、１５２より左右に延出するように表面シート１０上、或いは、表面シート１０と裏面シート１１との間、ギャザーシート１３と裏面シート１１との間等に配置する構成であってもよい。
また、ファスナ部２１、２１の大きさ、形状等も限定されるものではない。
【００４２】
【発明の効果】
請求項１記載の発明によれば、互いに係止離脱自在な一対の係止部の一方が、紙おむつ本体の腹側部の表面シート側に設けられ、他方が、紙おむつ本体の背側部の両側端部の裏面シート側に設けられるので、使い捨て紙おむつを固定するための係止部材が、装着時に外見に露出しないこととなって、下着に近い外見となるので、おむつを装着することによる装着者の羞恥心と抵抗感とを和らげることができる。また、着用時に胴回りを形成する紙おむつ本体の背側部の背側端部及び腹側部の腹側端部に、弾性部材が幅方向の略全域に沿って配置されているので、使いすて紙おむつを一旦装着した後、展開状態にせずとも上げ下ろしが可能である。
また、使い捨て紙おむつを着用者に着脱する際には、装着していたズポン等の衣服を完全に脱いだ状態にすることなくできるので便利である。
【００４３】
請求項２記載の発明によれば、請求項１に記載の発明と同様の効果が得られるのは勿論のこと、特に、一方が他方に止着される１対の止着部が、背側部の両側端部から側方に延出して設けられているので、胴回りがより固定されるのに加え、立状態での装着が容易にできる。また、係止部を離脱した状態でも、止着部により胴回りにおいて使い捨て紙おむつは固定されるので、おむつをおろさなくても排尿することが可能である。更に、係止部材同士が係止される際、紙おむつ本体の腹側部により止着部が覆われるので、外見上、パンツ式おむつの形状となり、下着のように見えることとなって装着者のおむつの装着に対する羞恥心と抵抗感を和らげることができる。
【００４４】
請求項３記載の発明によれば、請求項２に記載の発明と同様の効果が得られるのは勿論のこと、特に、止着部は、弾性部材から形成されているか、或いは紙おむつ本体の幅方向に沿って弾性部材が配されることにより伸縮可能に形成されているので、胴回りを締め付けすぎることなくフィットするとともに、使い捨て紙おむつを一度装着した後に、そのままの状態で上げ下ろしするのも容易となる。
【図面の簡単な説明】
【図１】本発明を適用した紙おむつ１００の展開図である。
【図２】図１のおむつの装着時の状態に組立てた斜視図である。
【図３】図１のおむつを完全に装着した状態に組立てた斜視図である。
【図４】図１の第１の変形例である紙おむつ２００の展開図である。
【図５】図４の装着時の状態に組立てた斜視図である。
【図６】図１の第２の変形例である紙おむつ３００の展開図である。
【図７】図６の装着時の状態に組立てた斜視図である。
【図８】図１の第３の変形例である紙おむつ４００の装着時の状態に組立てた斜視図である。
【符号の説明】
１　紙おむつ本体
２　腹ベルト（止着部）
２１　ファスナ部（止着部）
２２　弾性部材
１０　表面シート
１１　裏面シート
１２　吸収体
１４　腹側部
１４１　腹側端部
１４１ａ　弾性部材
１４２　側端部
１４２ａ　ファスニングテープ（係止部）
１４２ｂ　ファスニングテープ（係止部）
１４３　ウエストギャザー
１５　背側部
１５１　背側端部
１５１ａ　弾性部材
１５２　側端部
１５２ａ　ターゲットテープ（係止部）
１５２ｂ　ターゲットテープ（係止部）
１５３　ウエストギャザー
１００、２００、３００、４００　使い捨て紙おむつ
【図１】
2004121388.tif 000003
【図２】
2004121388.tif 000004
【図３】
2004121388.tif 000005
【図４】
2004121388.tif 000006
【図５】
2004121388.tif 000007
【図６】
2004121388.tif 000008
【図７】
2004121388.tif 000009
【図８】
2004121388.tif 000010